(57)【要約】【課題】ヘアーアイロンの発熱面に髪を安定した状態で巻き付けられるようにする。【解決手段】ヘアーアイロンのハンドル１０と直列に円筒形の周囲を発熱面１１とした発熱部１２の先端に回動自在のキャップ１３を設ける。そして、ハンドル１０を回転して回転する発熱面１１へ髪を巻き付ける際に前記キャップ１３に指を添える。このとき、前記キャップ１３は回動自在に取り付けられているので回転しない。したがって、ハンドル１０の回転に合わせてキャップ１３を持ち直して回す必要がなく動かさなくてもよいので、ヘアーアイロンを安定して支持できる。【選択図】図４
2006204360.tif 000002
【特許請求の範囲】
【請求項１】
棒状のハンドルと直列に設けられた髪を巻き付ける発熱面を周囲に形成した円筒形の発熱部の先端に、回動自在のキャップを設けて指を添えられるようにしたヘアーアイロン。
【請求項２】
上記キャップに凹部を設け、前記凹部に指先を嵌められるようにした請求項１に記載のヘアーアイロン。
【請求項３】
上記ハンドルの終端から給電用の電源コードを取り出し、その取り出した電源コードをハンドルの軸方向に対して旋回可能にした請求項１または２に記載のヘアーアイロン。
【発明の詳細な説明】
【技術分野】
【０００１】
この発明は、髪をセットする際の使い勝手を改善したヘアーアイロンに関するものである。
【背景技術】
【０００２】
ヘアーアイロンを使えば、ウェーブを付けたり、カールを付けたりと、好みに合わせて髪を簡単にアレンジすることができる。
【０００３】
このヘアーアイロンは、棒状のハンドルと直列に円筒形の発熱部を設けた形状となっている。すなわち、前記円筒形の発熱部は内部にヒーターを備え、その内部にヒーターを備えた円筒の外周を発熱面として髪を巻き付けるようにしたものである。そのため、一般に、発熱面に髪を留めるためのコテ板を設けて、髪を巻き付け易くする構成を取っている。
【０００４】
ところで、このようなヘアーアイロンでは、コテ板で髪を発熱面に挟んで留めたのち、ハンドルを回して髪を発熱面へ巻き付ける。このとき、ハンドルだけを持って回転すると、先端がふらついて上手く発熱面に髪を一様に巻き付けることができない。髪を発熱面に一様に上手く巻き付けられないと、カールが上手くできないので、空いた方の手を発熱部の先端に添え、ふらつきを防止しながら巻き付けなければならなかった。
【０００５】
この巻き付けを簡単にして使い勝手をよくするため、例えば〔特許文献１〕には、図５に示すような回転ホルダー１をハンドル２に被せたヘアーアイロンが記載されている。
【０００６】
すなわち、このアイロンは、美容院で美容師などの施術者が使用するもので、前記アイロンのハンドル２に、薄肉円筒状のホルダー部材を環状のスペーサを介して回動自在に取り付けたものである。さらに、回転ホルダー１の先端に、ハンドル２に固定されたリング（ツマミ）３を設けるとともに、ハンドル２の後端に回転端子を介してプラグを連結してある。
【０００７】
そのため、このヘアーアイロンは、例えば、図５のように、右手で回転ホルダー１を握り、コームを握っている左手の空いている指先で先端キャップ４を摘まみ、アイロンの向きを安定させながら右手の人差し指で前記リング３を回転させる。このとき、右手の掌と人差し指以外の残りの指とで回転ホルダー１をしっかりと握っているので、アイロンの回転軸は振れることはなく、安定した状態で回転させることができるというものである。
【特許文献１】特開２００３−２８４６０８号公報
【発明の開示】
【発明が解決しようとする課題】
【０００８】
ところで、上記のヘアーアイロンでは、美容師などの施術者が使用する場合は、頭の左右の如何に係わらず、施術者は利き腕、例えば右手で常にホルダーを握り、左手でキャップを摘んで右手の人差し指で固定リングを回転させて使うことができるため、安定した状態で使用することができる。
【０００９】
しかしながら、例えば家庭などで本人が使用する場合は、頭の右側と左側でホルダーを握る手とキャップを掴む手とを逆にしないと持てない。そのため、利き腕でない例えば左手でホルダーを持った場合は、左手の人差し指で固定リングを掴んで回転させなければならないため、思った通りに回転させることができず、軸が振れて上手く使えない問題がある。
【００１０】
そこで、この発明の課題は、ヘアーアイロンを左右の手で持ち替えた場合でも安定した状態で回転させることができるようにすることである。
【課題を解決するための手段】
【００１１】
上記の課題を解決するため、この発明では、棒状のハンドルと直列に設けられた髪を巻き付ける発熱面を周囲に形成した円筒形の発熱部の先端に、回動自在のキャップを設けて指を添えられるようにした構成を採用したのである。
【００１２】
このような構成を採用することにより、発熱面に髪を巻き付けるためには、一方の手でハンドルを握り、他方の手でキャップを摘む。そして、その一方のハンドルを握った手で（例えば手首を回して）ハンドルを回転させる。その際、キャップを摘んだ他方の手は、ハンドルを握った一方の手と一緒に（タイミングを合わせて）キャップを回さなくとも（キャップが回動するので）、そのままの状態で動かす必要はない。そのため、ヘアーアイロンを左右の手で持ち替えた場合でも（利き腕でない場合でも）安定した状態で使用することができる。
【００１３】
このとき、上記キャップに凹部を設け、前記凹部に指先を嵌められるようにした構成を採用することができる。
【００１４】
このような構成を採用することにより、凹部に指先を嵌めることで、キャップを容易に、かつ、確実に摘むことができるので、安定して保持することができる。
【００１５】
また、このとき、上記ハンドルの終端から給電用の電源コードを取り出し、その取り出した電源コードをハンドルの軸方向に対して旋回可能にした構成を採用することができる。
【００１６】
このような構成を採用することにより、電源コードは、ハンドルを回す際に、ハンドルと逆方向に回動して絡まないようにできるので、ハンドルを回す邪魔をしない。また、コードが絡まないので、絡んだコードをほぐす必要がなくて作業性を改善できる。
【発明の効果】
【００１７】
この発明は、上記のように構成したことにより、ヘアーアイロンを左右の手で持ち替えた場合でも安定した状態で回転させることができるので、使い勝手を良くすることができる。その結果、セットも上手くできる。
【発明を実施するための最良の形態】
【００１８】
以下、この発明を実施するための最良の形態を図面に基づいて説明する。
【００１９】
図１に示すように、この形態のヘアーアイロンは、棒状のハンドル１０と直列に、髪を周囲に巻き付ける円筒形の発熱面１１を形成した発熱部１２の先端に、回動自在のキャップ１３を設けた構成となっている。
【００２０】
棒状のハンドル１０は、この形態では、樹脂製のもので、発熱部側を先端方向として後端側に対して大径として持ちやすく形成してある。また、そのハンドル１０の先端部には、コテ板１４を取り付け、後端に電極を設けて電源コード１５を取り出すようにしてある。
【００２１】
前記コテ板１４は、コテ面１４ａとレバー部１４ｂとからなっており、コテ面１４ａは、断面形状を円弧に形成し、発熱部１２の円筒形の発熱面１１にピッタリと重なるように形成されている。一方、前記レバー部１４ｂは、ハンドル１０の先端部に切欠を設けて回動自在に取り付けられている。図示はしていないが、例えばハンドル１０の先端部内にスプリングによる付勢手段を設けて、コテ面１４ａを発熱部１２の発熱面１１に圧接するようにしてある。
【００２２】
ハンドル後端の電極は、例えば、リング状の電極を備えたもので、前記リング電極と電源コード１５に設けたピンプラグ状のコネクターを接続することにより、ハンドル１０の後端から取り出された電源コード１５を軸方向に対して旋回可能にしている。
【００２３】
また、ハンドル１０には、中程にスイッチを設けてハンドル１０を握ったままで電源のオン・オフ操作をできるようにしてある。
【００２４】
発熱部１２は、発熱面１１を形成するパイプ状の外筒１７と、その内部に取り付けられるヒーターユニット（図示せず）とからなっている。
【００２５】
ヒーターユニットは、ＰＴＣヒーター、端子板、放熱器、ヒーターガイドなど（この他に若干のテープやシート状の絶縁材を使用する）で構成されている。
【００２６】
例えば、ＰＴＣヒーターは、ペレット状のもので板状のヒーターガイドに取り付けられる。この板状のガイドには端子板が取り付けられており、端子板を介して前記ＰＴＣヒーターへ給電するようになっている。
【００２７】
また、このヒーターの取り付けられたヒーターガイドは、筒状の放熱器に挿入して、外筒１７に嵌入される。そのため、前記放熱器は外筒１７と密着する大きさに形成されており、外筒１７の外周の全面にわたって前記ヒーターの熱を効率よく伝えられるようにしてある。
【００２８】
この外筒１７の先端には、キャップ１３を取り付けるためのトップキャップベース１８が取り付けられている。
【００２９】
トップキャップベース１８は、難燃性の樹脂を成形したもので、図３のように円筒形の嵌入部１９の上部に、前記嵌入部１９よりも大径に形成した係止部２０を設けたものとなっている。
【００３０】
すなわち、前記嵌入部１９は外径を外筒１７の内径とほぼ同じ径（少し小さめの方が嵌入し易い）に形成し、係止部２０の外径を外筒１７の外径と同じ大きさに形成してある。また、その係止部２０の中央には円筒形の突部２１を形成し、その突部２１の中央に貫通孔２２を設けた形状となっている。この突部２１の貫通孔２２の中には、図３に示すように段部２３が設けてあり、図２のように、前記段部２３と後述するキャップ１３のネジ止め用突起２４の端とが当接するようにしてある。
【００３１】
そのため、前記キャップ１３の内部は中空にして、その中央に突起２４を設けてネジ溝を形成しネジ止めできるようにしてある。また、前記突起２４を中心にしてストッパー片を９０度間隔で十字に形成してスプリング２７の係止ができるようにするとともに、強度の向上も図れるようにしてある。
【００３２】
したがって、この貫通孔２２に、図３のように、トップキャップベース１８の嵌入部側から難燃性の樹脂で形成したブッシュ２５を介して木ねじ２６を挿通し、木ねじ２６の挿通された係止部２０の突部２１にスプリング２７を嵌めてキャップ１３をネジ止めすることができる。
【００３３】
このようにキャップ１３をネジ止めすることにより、キャップ１３をスプリング２７で外向きに付勢してトップキャップベース１８と係止部２０との接触を少なくしてスムースに回転できるようにしてある。
【００３４】
また、このとき、前記キャップ１３の外形は、円錐形に凹部２８を設けてツマミ形に形成し、前記凹部２８を指先で摘めるようにしたものである。また、円錐形の底面の径は、外筒１７の外径と同じか僅かに小さめに形成して外筒１７からはみ出すことがないようにしてある。
【００３５】
なお、図中符号２９と３０はスタンド用の突起で、前記スタンド用突起２９と３０でヘアーアイロンを机などに置く際に支持させることにより、発熱部１２が直接載置面に触れないようにするためのものである。
【００３６】
この形態は、上記のように構成されており、この形態のヘアーアイロンでは、一方の手でハンドルを持ち、電源スイッチをオンにして、例えば、ハンドル１０を持った手の指でコテ板１４のレバー部１４ｂを押してコテ面１４ａを開く。そして、開いたコテ板１４のコテ面１４ａと発熱部１２の発熱面１１との間に髪を入れてコテ板１４のレバー部１４ｂを放し、コテ板１４のコテ面１４ａと発熱部１２の発熱面１１とで髪を挟んだのち、他方の手で、図４のように（図では右手）発熱部１２の先端のキャップ１３を摘む。その際、キャップ１３を摘む指先は、キャップ１３に形成した凹部２８に嵌まるので摘まみ易くシッカリと支持できる。次に、ハンドル１０を（例えば、ハンドル１０を持った一方の手の手首を回転させるなどして）回す。すると、発熱部１２も回転するが、その際、外筒１７の先端に取り付けられた前記キャップ１３は、トップキャップベース１８に回動自在に取り付けられているのでハンドル１０が回転しても一緒に回転しない。したがって、キャップ１３を持つ手は常に同じ位置で動かさなくてもよく、発熱部１２の回転に合わせて指を持ち直してキャップを回す必要がない。そのため、ヘアーアイロンを安定して支持できるので、仕上げも綺麗にできる。また、頭の反対側のセットをするため、ヘアーアイロンを左右の手で持ち替えた場合でも、髪を巻き付け中にキャップ１３を持つ手を持ち直してキャップ１３を回転させる必要がなく（キャップ１３を持つ手が利き腕でない場合は、持ち直すのは苦しい）、安定した状態で回転させることが極めて容易にできるので、セットが上手くできる。
【００３７】
また、このハンドルを回転させたときに、電源コード１５は、ハンドル１０と逆方向に回動して絡まないようになっているので、ハンドル１０を回す邪魔をせず、セットが上手くできる。さらに、絡まないので、コードをほぐす必要もなく作業性も改善できる。
【図面の簡単な説明】
【００３８】
【図１】実施形態の正面図
【図２】実施形態の要部の断面図
【図３】実施形態のキャップ取付部分の分解斜視図
【図４】実施形態の作用説明図
【図５】従来例の作用説明図
【符号の説明】
【００３９】
１０  ハンドル
１１  発熱面
１２  発熱部
１３  キャップ
１５  電源コード
２８  凹部
【図１】
2006204360.tif 000003
【図２】
2006204360.tif 000004
【図３】
2006204360.tif 000005
【図４】
2006204360.tif 000006
【図５】
2006204360.tif 000007